(57)【要約】  本開示は、機器全体の外観が渾然一体の電子通信機器を実現させるように、金属ケースを有する電子通信機器およびその製造方法に関する。当該電子通信機器では、金属ケースに仕切り部が形成されており、前記仕切り部は、前記金属ケースに穿設された複数のマイクロ穿孔から形成された少なくとも２本の分割痕からなる。上記技術案で供される電子通信機器は、複数のマイクロ穿孔から形成された少なくとも２本の分割痕によって金属ケースをいくつかの部分に仕切り、仕切られたケース部では電力が導通されていないため、電子通信機器の関連性能、例えば、アンテナの信号放射の実現が有利になる。また、マイクロ穿孔が非常に細小であり、マイクロ穿孔から形成された分割痕も細小であり、一般的に、これらのマイクロ穿孔及び分割痕が完全に人の目で見えないため、電子通信機器の全体は、外観上から孔溝または痕迹線が見えず、機器全体の外観が渾然一体で美観になる。【選択図】図２Ａ
2017506477.tif 000002
【特許請求の範囲】
【請求項１】
金属ケースを有する電子通信機器であって、
前記金属ケースに形成された仕切り部を有し、
前記仕切り部は、前記金属ケースに穿設された複数のマイクロ穿孔から形成された少なくとも２本の分割痕からなることを特徴とする電子通信機器。
【請求項２】
前記複数のマイクロ穿孔は、前記金属ケースの外側表面にレーザによって形成された複数のマイクロ穿孔を含むことを特徴とする請求項１に記載の電子通信機器。
【請求項３】
前記仕切り部の所在する金属ケース部分の内側表面に設けられている支持部材をさらに有することを特徴とする請求項１に記載の電子通信機器。
【請求項４】
前記支持部材のサイズは、前記仕切り部のサイズよりも大きいことを特徴とする請求項３に記載の電子通信機器。
【請求項５】
前記複数のマイクロ穿孔内には、絶縁充填物が充填されていることを特徴とする請求項１〜４のいずれかに記載の電子通信機器。
【請求項６】
前記支持部材は、絶縁支持部材を含み、
前記絶縁支持部材と前記絶縁充填物とが、一体的に成形されていることを特徴とする請求項５に記載の電子通信機器。
【請求項７】
前記仕切り部の形状は、前記複数のマイクロ穿孔の外縁マイクロ穿孔から形成された分割痕の形状であり、
前記外縁マイクロ穿孔以内のマイクロ穿孔から形成された分割痕と、前記外縁マイクロ穿孔から形成された分割痕とは、互いに平行であることを特徴とする請求項１に記載の電子通信機器。
【請求項８】
前記金属ケースによって囲まれているキャビティ内には、アンテナが設けられており、
前記金属ケースでの前記仕切り部の位置は、前記アンテナの信号放射位置に対応することを特徴とする請求項１に記載の電子通信機器。
【請求項９】
前記金属ケースは、金属ベゼル、金属バックケースの何れかまたは両方を有し、
前記仕切り部は、前記金属ベゼル、金属バックケースの何れかまたは両方に形成されていることを特徴とする請求項１または８に記載の電子通信機器。
【請求項１０】
前記金属ベゼルに形成された仕切り部は、少なくとも２つあり、
前記少なくとも２つの仕切り部のうち隣接する２つの仕切り部の間の金属ベゼル部分は、前記電子通信機器におけるアンテナの一部を形成するために用いられることを特徴とする請求項９に記載の電子通信機器。
【請求項１１】
前記金属バックケースに形成された仕切り部は、少なくとも２つあり、
前記少なくとも２つの仕切り部のうち隣接する２つの仕切り部の間の金属バックケース部分は、前記電子通信機器におけるアンテナの一部を形成するために用いられることを特徴とする請求項９に記載の電子通信機器。
【請求項１２】
前記金属バックケースに形成された仕切り部が前記金属バックケースにおいて仕切った領域形状は、アンテナと結合して整合することを特徴とする請求項１１に記載の電子通信機器。
【請求項１３】
金属ケースを有する電子通信機器の製造方法であって、
前記金属ケースに複数のマイクロ穿孔を穿設し、前記複数のマイクロ穿孔から形成された少なくとも２本の分割痕が前記金属ケースの仕切り部を形成するステップを含むことを特徴とする電子通信機器の製造方法。
【請求項１４】
前記金属ケースに複数のマイクロ穿孔を穿設するステップは、
レーザによって前記金属ケースの外側表面に複数のマイクロ穿孔を形成するステップを含むことを特徴とする請求項１３に記載の電子通信機器の製造方法。
【請求項１５】
前記仕切り部の所在する金属ケース部分の内側表面に支持部材を設けるステップをさらに含むことを特徴とする請求項１３に記載の電子通信機器の製造方法。
【請求項１６】
前記支持部材のサイズは、前記仕切り部のサイズよりも大きいことを特徴とする請求項１５に記載の電子通信機器の製造方法。
【請求項１７】
前記複数のマイクロ穿孔内に絶縁充填物を充填するステップをさらに含むことを特徴とする請求項１３〜１６のいずれかに記載の電子通信機器の製造方法。
【請求項１８】
前記支持部材は、絶縁支持部材を含み、
前記仕切り部の所在する金属ケース部分の内側表面に支持部材を設けるステップ、および、前記複数のマイクロ穿孔内に絶縁充填物を充填するステップは、
絶縁材料を用いて、前記仕切り部の所在する金属ケース部分の内側表面から外側表面へ押出し、前記絶縁材料を前記複数のマイクロ穿孔内に入れて絶縁充填物として形成させ、前記絶縁材料を前記仕切り部の所在する金属ケース部分の内側表面に絶縁支持部材として形成させ、前記絶縁支持部材と前記絶縁充填物とを一体化することを特徴とする請求項１７に記載の電子通信機器の製造方法。
【発明の詳細な説明】
【相互参照】
【０００１】
本願は、出願番号が２０１４１０８００３９２Ｘであって、出願日が２０１４年１２月１８日である中国特許出願、および、出願番号が２０１５１０２９６６３０２であって、出願日が２０１５年６月２日である中国特許出願に基づき優先権を主張し、これらの中国特許出願の内容の全てを参照のため本願に援用する。
【技術分野】
【０００２】
本開示は、電子通信機器技術分野に関し、特に金属ケースを有する電子通信機器およびその製造方法に関する。
【背景技術】
【０００３】
現在では、金属ケースを有する電子通信機器、例えば、携帯電話は、内蔵したアンテナの性能を確保するために、１つの全体の金属ケースをいくつかの部分に仕切り、さらに、仕切られたいくつかの部分の金属をＩＭＤ（Ｉｎ  Ｍｏｌｄ  Ｄｅｃｏｒａｔｉｏｎ）によってプラスチックで連結することで、仕切られた金属部分が導通してアンテナの信号に影響を及ぼすことを回避する。しかし、このようにすれば、金属ケースには、金属ケースを仕切るためのいくつかのプラスチック仕切り部があるため、電子通信機器の全体は渾然一体の効果を奏することができず、機器全体の外観に影響を及ぼしてしまう。
【発明の概要】
【発明が解決しようとする課題】
【０００４】
関連技術に存在する課題を克服すべく、本開示の実施例は、機器全体の外観が渾然一体の電子通信機器を実現させるように、金属ケースを有する電子通信機器およびその製造方法を提供する。
【課題を解決するための手段】
【０００５】
本開示の実施例の第１の態様によれば、金属ケースを有する電子通信機器を提供する。前記電子通信機器は、前記金属ケースに形成された仕切り部を有し、前記仕切り部は、前記金属ケースに穿設された複数のマイクロ穿孔から形成された少なくとも２本の分割痕からなる。
【０００６】
ある実施例では、前記複数のマイクロ穿孔は、前記金属ケースの外側表面にレーザによって形成された複数のマイクロ穿孔を含む。
【０００７】
ある実施例では、前記電子通信機器は、前記仕切り部の所在する金属ケース部分の内側表面に設けられている支持部材をさらに有する。
【０００８】
ある実施例では、前記支持部材のサイズは、前記仕切り部のサイズよりも大きい。
【０００９】
ある実施例では、前記複数のマイクロ穿孔内には、絶縁充填物が充填されている。
【００１０】
ある実施例では、前記支持部材は、絶縁支持部材を含み、
前記絶縁支持部材と前記絶縁充填物とが、一体的に成形されている。
【００１１】
ある実施例では、前記仕切り部の形状は、前記複数のマイクロ穿孔の外縁マイクロ穿孔から形成された分割痕の形状であり、前記外縁マイクロ穿孔以内のマイクロ穿孔から形成された分割痕と、前記外縁マイクロ穿孔から形成された分割痕とは、互いに平行である。
【００１２】
ある実施例では、前記金属ケースによって囲まれているキャビティ内には、アンテナが設けられており、前記金属ケースでの前記仕切り部の位置は、前記アンテナの信号放射位置に対応する。
【００１３】
ある実施例では、前記金属ケースは、金属ベゼル、金属バックケースの何れかまたは両方を有し、前記仕切り部は、前記金属ベゼル、金属バックケースの何れかまたは両方に形成されている。
【００１４】
ある実施例では、前記金属ベゼルに形成された仕切り部は、少なくとも２つあり、前記少なくとも２つの仕切り部のうち隣接する２つの仕切り部の間の金属ベゼル部分は、前記電子通信機器におけるアンテナの一部を形成するために用いられる。
【００１５】
ある実施例では、前記金属バックケースに形成された仕切り部は、少なくとも２つあり、前記少なくとも２つの仕切り部のうち隣接する２つの仕切り部の間の金属バックケース部分は、前記電子通信機器におけるアンテナの一部を形成するために用いられる。
【００１６】
ある実施例では、前記金属バックケースに形成された仕切り部が前記金属バックケースにおいて仕切った領域形状は、アンテナと結合して整合する。
【００１７】
本開示の実施例の第２の態様によれば、金属ケースを有する電子通信機器の製造方法を提供する。前記電子通信機器の製造方法は、前記金属ケースに複数のマイクロ穿孔を穿設し、前記複数のマイクロ穿孔から形成された少なくとも２本の分割痕が前記金属ケースの仕切り部を形成するステップを含む。
【００１８】
ある実施例では、前記金属ケースに複数のマイクロ穿孔を穿設するステップは、レーザによって前記金属ケースの外側表面に複数のマイクロ穿孔を形成するステップを含む。
【００１９】
ある実施例では、前記方法は、前記仕切り部の所在する金属ケース部分の内側表面に支持部材を設けるステップをさらに含む。
【００２０】
ある実施例では、前記支持部材のサイズは、前記仕切り部のサイズよりも大きい。
【００２１】
ある実施例では、前記方法は、前記複数のマイクロ穿孔内に絶縁充填物を充填するステップをさらに含む。
【００２２】
ある実施例では、前記支持部材は、絶縁支持部材を含み、前記仕切り部の所在する金属ケース部分の内側表面に支持部材を設けるステップと、前記複数のマイクロ穿孔内に絶縁充填物を充填するステップは、絶縁材料を用いて、前記仕切り部の所在する金属ケース部分の内側表面から外側表面へ押出し、前記絶縁材料を前記複数のマイクロ穿孔内に入れて絶縁充填物として形成させ、前記絶縁材料を前記仕切り部の所在する金属ケース部分の内側表面に絶縁支持部材として形成させ、前記絶縁支持部材と前記絶縁充填物とを一体化する。
【００２３】
本開示の実施例による技術案は、以下の格別な作用効果を含むことができる。
【００２４】
上記技術案で提供される電子通信機器は、複数のマイクロ穿孔から形成された少なくとも２本の分割痕によって金属ケースをいくつかの部分に仕切り、仕切られたケース部では電力が導通されていないので、電子通信機器の相関性能、例えば、アンテナの信号放射の実現が有利になるとともに、マイクロ穿孔が非常に細小であり、マイクロ穿孔から形成された分割痕も細小であり、一般的に、これらのマイクロ穿孔及び分割痕が人の目で完全に見えないため、電子通信機器の全体は、外観上から孔溝または痕迹線が見えず、機器全体の外観が渾然一体で美観である。
【００２５】
上述した一般的な記述および後続の詳細な記述は、単に例示的および解釈的なものであり、本発明を制限できるものでないと理解されるべきである。
【図面の簡単な説明】
【００２６】
ここでの図面は、明細書を構成する一部として見なされ、本開示に適した実施例を示し、かつ、明細書の文字記載とともに本開示の仕組みを解釈するために用いられる。
【図１】ある実施例による電子通信機器の金属ケースの構造を示す模式図である。
【図２Ａ】図１における破線枠１０内の仕切り部を示す立体拡大図である。
【図２Ｂ】図１における破線枠１０内の仕切り部を示すフロントビュー拡大図である。
【図３】ある実施例による電子通信機器の局所構造を示す模式図である。
【図４】ある実施例による電子通信機器の金属ケースでの仕切り部の形状を示す模式図である。
【図５】ある実施例による金属ケースでの別の仕切り部の形状を示す模式図である。
【図６】ある実施例による別の電子通信機器の金属ケースを示す立体図である。
【図７】図６における電子通信機器の局所構造を示す平面拡大図である。
【図８】ある実施例による電動自己均衡車に適用される運転制御装置を示すブロック図である。
【発明を実施するための形態】
【００２７】
次に、実施例を詳細に説明し、例示が図に示されている。以下の記述が図に係る場合、別途にて示さない限り、異なる図面における同じ符号は、同じまたは類似する要素を示す。以下の実施例に記述される実施形態は、本発明と一致する全ての実施形態を代表するとは限らない。逆に、それらは、添付の特許請求の範囲に記載されているように、本発明の一部の局面と一致する装置および方法の例に過ぎない。
【００２８】
本開示の実施例は、金属ケースを有する電子通信機器を提供する。当該電子通信機器は、通信機能を有する任意の電子機器、例えば、携帯電話、タブレットＰＣ、ポータブルコンピュータ、ルータ、撮像機器などであってもよく、通信機能を実現させるように、電子通信機器の内部には、一般的には、アンテナ、例えば、ＧＰＳ（ＧｌｏｂａｌＰｏｓｉｔｉｏｎｉｎｇ Ｓｙｓｔｅｍ、全地球測位システム）アンテナ、ＷＩＦＩアンテナなどが設けられている。図１、図２Ａ及び図２Ｂに示すように、電子通信機器の金属ケース１には、仕切り部２が形成されており、仕切り部２は、金属ケース１に穿設された複数のマイクロ穿孔３から形成された少なくとも２本の分割痕からなる。
【００２９】
図１は、金属ケースの金属ベゼルに仕切り部を設けることを例として説明する。人の目はマイクロ穿孔、マイクロ穿孔から形成された分割痕、および分割痕によって形成された仕切り部が見えないため、図１に示されている金属ケース１の立体図には、仕切り部に関する痕跡がない。図２Ａは、図１における破線枠１０内の仕切り部を示す立体拡大図であり、図２Ｂは、図１における破線枠１０内の仕切り部を示すフロントビュー拡大図である。
【００３０】
マイクロ穿孔３の形状は、円形、長方形、矩形などの任意形状であっても良い。その大きさは人の目で観察できないことに準じ、例えば、その幅は０.１ｍｍより小さくしても良い。
【００３１】
本開示の実施例で提供される上記電子通信機器は、複数のマイクロ穿孔から形成された少なくとも２本の分割痕によって金属ケースをいくつかの部分に仕切り、仕切られたケース部では電力が導通されていないので、電子通信機器の相関性能、例えば、アンテナの信号放射の実現が有利になるとともに、マイクロ穿孔が非常に細小であり、マイクロ穿孔から形成された分割痕も細小であり、一般的に、人の目でこれらのマイクロ穿孔及び分割痕が完全に見えないため、電子通信機器の全体は、外観上から孔溝または痕迹線が見えず、機器全体の外観が渾然一体で美観になる。
【００３２】
ある実施例では、複数のマイクロ穿孔は、金属ケースの外側表面にレーザによって形成された複数のマイクロ穿孔であっても良い。
【００３３】
ある実施例では、仕切り部を、金属ケースにおいて仕切る必要がある位置に設けても良い。例えば、アンテナの信号放射性能を向上させるために、図３に示すように、金属ケース１によって囲まれているキャビティ内には、アンテナ４が設けられており、金属ケース１での仕切り部２の位置は、アンテナ４の信号放射位置に対応する。一般的には、金属ケースを有する電子通信機器、例えば、携帯電話、タブレットＰＣなどの金属ケースは、金属ベゼル、金属バックケースの何れかまたは両方を有してもよく、アンテナは、一般的には、金属ベゼル寄りであり、または金属バックケースの内側表面に設けられているため、アンテナ性能を有利にするために、仕切り部は、金属ベゼルもしくは金属バックケースに設けられてもよく、または、同時に金属ベゼル及び金属バックケースに設けられてもよく、実際の必要に応じて設置位置を選択することができる。このように、複数のマイクロ穿孔から形成された少なくとも２本の分割痕によって金属ケース１をいくつかの部分に仕切り、仕切られたケース部では電力が導通されていないので、アンテナの信号放射が強くなり、アンテナ性能が確保される。また、仕切り部のサイズとアンテナ信号の結合度とは関係があるので、アンテナの信号強度に応じて仕切り部のサイズを調節しても良い。
【００３４】
ある実施例では、若し、金属ベゼルに形成された仕切り部の数が少なくとも２つであれば、少なくとも２つの仕切り部のうち隣接する２つの仕切り部の間の金属ベゼル部分は、電子通信機器におけるアンテナの一部を形成するために用いられても良い。若し、金属バックケースに形成された仕切り部が少なくとも２つあれば、少なくとも２つの仕切り部のうち隣接する２つの仕切り部の間の金属バックケース部分は、電子通信機器におけるアンテナの一部を形成するために用いられても良い。このとき、金属バックケースに形成された仕切り部が金属バックケースにおいて仕切った領域形状は、アンテナと結合して整合しても良く（ｃｏｕｐｌｉｎｇ  ｍａｔｃｈ）、例えば、環状、Ｔ形状などであっても良い。
【００３５】
ある実施例では、図２Ａに示すように、仕切り部２の形状は、複数のマイクロ穿孔３の外縁マイクロ穿孔から形成された分割痕によって形成された形状である。仕切り部２の形状は、必要に応じて、任意の形状に設計されてもよく、例えば、長方形（図２Ａまたは２Ｂに示す）、円環状（図４に示す）、または不規則形状であっても良い（図５に示すが、図５に示す形状に限定されない）。
【００３６】
また、製造を便利にするために、外縁マイクロ穿孔３０以内のマイクロ穿孔から形成された分割痕３２と、外縁マイクロ穿孔３０から形成された分割痕３１とは、互いに平行であっても良い。例えば、図２Ａ及び図２Ｂに示すように、複数本の直線形の分割痕は、互いに平行であり、図４に示すように、複数本の環状の分割痕は、互いに平行であり、図５に示すように、不規則形状の分割痕は、互いに平行である。当然ながら、必要に応じて、非平行に設けられても良い。製造を便利にするために、各分割痕間のピッチを限定せず、実際の必要に応じて調整しても良く、例えば、各分割痕間のピッチは均一であっても良く、不均一であっても良い。
【００３７】
ある実施例では、仕切り部の強固性を向上させ、金属ケースの強度を向上させるために、図６及び７に示すように、仕切り部２の所在する金属ケース部分の内側表面には、支持部材２０を設けても良い。図６及び図７は、金属ケースの２つの対象金属ベゼルに２つの仕切り部を設けて、各仕切り部に１つの支持部材を設けることを例としており、図６は、電子通信機器の金属ケースを示す立体図であり、人の目で仕切り部が見えないため、図６には、仕切り部が示されておらず、図７は、図６における破線枠６０中の平面拡大図である。支持部材は、仕切り部により仕切られた金属ケース部分を支持するためのものであり、金属ケースの強度を向上させる。アンテナ性能に影響を及ぼさないために、さらに、支持部材は、絶縁材料で製造された絶縁支持部材として設けられても良い。若し、仕切り部の所在する金属ケース部分の内側表面の導電性能を考慮しなくてもいいならば、さらに、他の任意の材料で製造された支持部材を用いても良く、どんな材料の支持部材を用いるかは、必要によって決められる。また、良い支持効果を奏するために、上記各種の支持部材のサイズは、一般的には、仕切り部のサイズよりも大きく、図７に示すように、支持部材２０の幅Ｌ１は、仕切り部２の幅Ｌ２よりも大きい。
【００３８】
ある実施例では、仕切り部の強固性を向上させ、金属ケースの強度を向上させるために、複数のマイクロ穿孔内には、絶縁充填物、例えば、任意の絶縁材料で作成された粒子をさらに充填しても良い。マイクロ穿孔が非常に細小であるため、人の目はマイクロ穿孔内の絶縁充填物が見えないし、絶縁充填物は仕切られた金属ケースを電気的に導通しない。
【００３９】
ある実施例では、上記支持部材が絶縁支持部材である場合、絶縁支持部材と絶縁充填物とは、一体的に成形されても良い。
【００４０】
本開示の実施例の第２の態様によれば、金属ケースを有する電子通信機器の製造方法を提供する。当該方法は、金属ケースを製造した後で、金属ケースに複数のマイクロ穿孔を穿設し、複数のマイクロ穿孔から形成された分割痕が金属ケースの仕切り部を形成するステップをさらに含む。
【００４１】
１つの例としては、マイクロ穿孔技術によって、先ず、金属ケースに対してＩＭＤを行い、マイクロ穿孔を設ける位置においてプラスチックで接続し、さらに、金属ケースを、マイクロ穿孔を開設することによっていくつかの部分に分割する。もう１つの例としては、レーザによって金属ケースの外側表面に複数のマイクロ穿孔を形成しても良い。
【００４２】
ある実施例では、前記方法は、仕切り部の所在する金属ケース部分の内側表面に支持部材を設けるステップをさらに含んでも良い。支持部材に対する具体的な説明は、上述した金属ケースを有する電子通信機器の関連説明を参照しても良いが、ここでは再び記述しない。
【００４３】
ある実施例では、複数のマイクロ穿孔内に絶縁充填物を充填する。絶縁充填物に対する具体的な説明は、上述した金属ケースを有する電子通信機器の関連説明を参照しても良いが、ここでは再び記述しない。
【００４４】
ある実施例では、支持部材が絶縁支持部材である場合、前記仕切り部の所在する金属ケース部分の内側表面に支持部材を設けるステップと、複数のマイクロ穿孔内に絶縁充填物を充填するステップは、絶縁材料を用いて、仕切り部の所在する金属ケース部分の内側表面から外側表面へ押出し、絶縁材料を複数のマイクロ穿孔内に入れて絶縁充填物として形成させ、絶縁材料を仕切り部の所在する金属ケース部分の内側表面に絶縁支持部材として形成させ、絶縁支持部材と絶縁充填物とを一体化するように実施されても良い。
【００４５】
本開示の実施例で提供される上記方法で製造された電子通信機器では、複数のマイクロ穿孔から形成された少なくとも２本の分割痕によって金属ケースをいくつかの部分に仕切り、仕切られたケース部では電力が導通されていないので、電子通信機器の相関性能、例えば、アンテナの信号放射の実現が有利になるとともに、マイクロ穿孔が非常に細小であり、マイクロ穿孔から形成された分割痕も細小であり、一般的に、人の目でこれらのマイクロ穿孔及び分割痕が完全に見えないため、電子通信機器の全体は、外観上から孔溝または痕迹線が見えず、機器全体の外観が渾然一体で美観になる。
【００４６】
図８は、ある実施例による金属ケースを有する電子通信機器１２００のためのブロック図である。当該電子通信機器１２００は、携帯電話、コンピュータ、デジタル放送端末、メッセージ送受信機器、ゲームコンソール、タブレットデバイス、医療設備、フィットネス機器、ＰＤＡなどであってもよい。
【００４７】
図８を参照すると、電子通信機器１２００は、以下の１つ又は複数のユニット、すなわち、処理ユニット１２０２、メモリ１２０４、電源ユニット１２０６、マルチメディアユニット１２０８、オーディオユニット１２１０、入力／出力（Ｉ／Ｏ）インターフェース１２１２、センサユニット１２１４及び通信ユニット１２１６を備えてもよい。
【００４８】
処理ユニット１２０２は一般的には、電子通信機器１２００の全般操作、例えば、表示、電話発呼、データ通信、カメラ操作及び記録操作に関連する操作を制御する。処理ユニット１２０２は、前記方法のステップの全部又は一部を実行するように、指令を実行する１つ又は複数のプロセッサ１２２０を備えてもよい。また、処理ユニット１２０２は、処理ユニット１２０２と他のユニットとの間の相互作用を容易にするように、１つ又は複数のモジュールを備えてもよい。例えば、処理ユニット１２０２は、マルチメディアユニット１２０８と処理ユニット１２０２との間の相互作用を容易にするように、マルチメディアモジュールを備えてもよい。
【００４９】
メモリ１２０４は、電子通信機器１２００での操作をサポートするために、各種別のデータを記憶するように構成される。これらのデータの例示は、電子通信機器１２００で操作する如何なるアプリケーションプログラムまたは方法の指令、連絡人データ、電話帳データ、メッセージ、ピクチャ、映像などを含む。メモリ１２０４は、如何なる種別の揮発性もしくは不揮発性記憶デバイスまたはそれらの組合せ、例えば、静的ランダムアクセスメモリ（ＳＲＡＭ）、電気的に消去可能なプログラマブル読み出し専用メモリ（ＥＥＰＲＯＭ）、消去可能なプログラマブル読み出し専用メモリ（ＥＰＲＯＭ）、プログラマブル読み出し専用メモリ（ＰＲＯＭ）、読み出し専用メモリ（ＲＯＭ）、磁気メモリ、フラッシュメモリ、磁気ディスクまたは光ディスクによって実現されてもよい。
【００５０】
電源ユニット１２０６は、電子通信機器１２００のユニットのそれぞれに電力を供給する。電源ユニット１２０６は、電源管理システム、１つまたは複数の電源、並びに、電子通信機器１２００用の電力を生成、管理および配分するに関する他のユニットを含んでもよい。
【００５１】
マルチメディアユニット１２０８は、前記電子通信機器１２００とユーザとの間に１つの出力インターフェースを供給するスクリーンを備える。一部の実施例では、スクリーンは、液晶ディスプレイ（ＬＣＤ）およびタッチパネル（ＴＰ）を含んでも良い。スクリーンは、タッチパネルを含む場合、ユーザからの入力信号を受信するように、タッチスクリーンとして実現されてもよい。タッチパネルは、タッチ、スライドおよびタッチパネルでのジェスチャーを感知するように、１つまたは複数のタッチセンサを含む。前記タッチセンサは、タッチまたはスライド動作の境界を感知するだけではなく、前記タッチまたはスライド操作と関連する持続時間および圧力をさらに検出することができる。一部の実施例では、マルチメディアユニット１２０８は、１つのフロントカメラおよび／またはバックカメラを含む。電子通信機器１２００が操作モード、例えば、撮像モードまたは映像モードにあるとき、フロントカメラおよび／またはバックカメラは、外部のマルチメディアデータを受信することができる。フロントカメラおよびバックカメラのそれぞれは、１つの固定の光学レンズシステムであってもよいし、焦点距離および光学ズーム能力を有するものであってもよい。
【００５２】
オーディオユニット１２１０は、オーディオ信号を出力および／または入力するように構成される。例えば、オーディオユニット１２１０は、マイク（ＭＩＣ）を備え、電子通信機器１２００が操作モード、例えば、発呼モード、記録モードおよび音声識別モードにあるとき、マイクは、外部オーディオ信号を受信するように構成される。受信されたオーディオ信号は、さらに、メモリ１２０４に記憶される、または、通信ユニット１２１６を介して送信されることができる。一部の実施例では、オーディオユニット１２１０は、さらに、オーディオ信号を出力するためのスピーカをさらに含む。
【００５３】
Ｉ／Ｏインターフェース１２１２は、処理ユニット１２０２とペリフェラルインターフェースモジュールとの間でインターフェースを供給するものであり、前記ペリフェラルインターフェースモジュールは、キーボード、クリックホイール、ボタンなどであってもよい。これらのボタンは、ホームページボタン、ボリュームボタン、起動ボタンおよびロックボタンを含んでも良いが、それらに限定されない。
【００５４】
センサユニット１２１４は、いろんな方面での状態推定を電子通信機器１２００に供給するための１つまたは複数のセンサを含む。例えば、センサユニット１２１４は、電子通信機器１２００のオン／オフ状態、ユニットの相対位置を検出することができ、例えば、前記ユニットは、電子通信機器１２００のディスプレイおよびキーパッドである。センサユニット１２１４は、さらに、電子通信機器１２００もしくは電子通信機器１２００の１つのユニットの位置変更、ユーザと電子通信機器１２００との接触の存在もしくは不存在、電子通信機器１２００の方位または加速／減速および電子通信機器１２００の温度変化をさらに検出することができる。センサユニット１２１４は、如何なる物理的接触もないとき、近辺にある物体の存在を検出するための近接センサを含んでもよい。センサユニット１２１４は、さらに、イメージングアプリケーションに使用される光センサ、例えばＣＭＯＳまたはＣＣＤ画像センサを含んでも良い。一部の実施例では、当該センサユニット１２１４は、さらに、加速度センサ、ジャイロセンサ、磁気センサ、圧力センサまたは温度センサを含んでも良い。
【００５５】
通信ユニット１２１６は、電子通信機器１２００と他の機器間の無線または有線方式の通信が便利になるように構成される。電子通信機器１２００は、通信規格に基づく無線ネットワーク、例えば、ＷｉＦｉ、２Ｇもしくは３Ｇ、またはそれらの組合せにアクセスすることができる。ある実施例では、通信ユニット１２１６は、外部ブロードキャスト管理システムからのブロードキャスト信号またはブロードキャスト関連情報をブロードキャストチャネルを介して受信する。ある実施例では、前記通信ユニット１２１６は、さらに、短距離通信を容易にするように、ニアフィールド通信（ＮＦＣ）モジュールを含んでも良い。例えば、ＮＦＣモジュールでは、無線周波数識別（ＲＦＩＤ）技術、赤外データ協会（ＩｒＤＡ）技術、超広帯域（ＵＷＢ）技術、ブルートゥース（登録商標）（ＢＴ）技術および他の技術によって実現されてもよい。
【００５６】
実施例では、電子通信機器１２００は、上記方法を実行するための１つ又は複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサまたは他の電子部品によって実現されてもよい。
【００５７】
実施例では、指令を含む非一時的コンピュータ読み取り可能な記憶媒体、例えば、指令を含むメモリ１２０４をさらに提供し、上記指令が電子通信機器１２００のプロセッサ１２２０によって実行されることで上述した方法を実施させることができる。例えば、前記非一時的コンピュータ読み取り可能な記憶媒体は、ＲＯＭ、ランダムアクセスメモリ（ＲＡＭ）、ＣＤ-ＲＯＭ、磁気テープ、フロッピーディスクおよび光データ記憶機器などであっても良い。
【００５８】
当業者は、明細書を考慮し、ここに公開された開示を実践した後、本開示の他の実施案を容易に想到する。本願は、本開示の如何なる変形、用途または適応的変化もカバーすることを意図する。これらの変形、用途または適応的変化は、本開示の一般的な仕組みに従い、かつ、本開示に開示されていない当分野における公知常識または慣用技術手段を含む。明細書および実施例は単なる例示と見なされ、本開示の本当の範囲および思想は添付の特許請求の範囲によって与えられる。
【００５９】
本開示が以上で記載され、且つ図面に示された正確な構造に限定されるものでなく、その要旨を逸脱しない範囲で様々な補正や変更も可能であることは理解されるべきである。本開示の範囲は、添付する特許請求の範囲のみによって限定される。
【図１】
2017506477.tif 000003
【図２Ａ】
2017506477.tif 000004
【図２Ｂ】
2017506477.tif 000005
【図３】
2017506477.tif 000006
【図４】
2017506477.tif 000007
【図５】
2017506477.tif 000008
【図６】
2017506477.tif 000009
【図７】
2017506477.tif 000010
【図８】
2017506477.tif 000011
【国際調査報告】
2017506477.tif 000012
2017506477.tif 000013
2017506477.tif 000014
2017506477.tif 000015